(57)【要約】【課題】点滅のパターンの変更や電池の装着の際に要する手間を軽減することができる発光装置を提供する。【解決手段】発光装置１０は、発光素子１２２及びその発光を制御する制御回路１４２を備える本体１１と、発光素子１２２の発光パターンのデータが記録されるメモリ２１と発光素子１２２に電力を供給する２次電池２２が一体化され、メモリ２１用の端子であるメモリ端子及び２次電池２２用の端子である２次電池用端子を備えた着脱モジュール２０と、本体１１に設けられた、着脱モジュール２０を装着可能な着脱モジュール装着部１５と、着脱モジュール装着部１５に設けられた、着脱モジュール１５を装着したときにメモリ用端子と制御回路１４２を接続し、２次電池用端子と発光素子１２２を接続するための本体側端子１５２を備える。着脱モジュール２０を着脱モジュール装着部１５に装着するだけで点滅のパターンの変更と電池の装着を同時に行うことができる。【選択図】図１
2018092756.tif 000002
【特許請求の範囲】
【請求項１】
a) 発光素子及び該発光素子の発光を制御する制御回路を備える本体と、
b) 前記発光素子の発光パターンのデータが記録されるメモリと該発光素子に電力を供給する２次電池が一体化され、該メモリ用の端子であるメモリ端子及び該２次電池用の端子である２次電池用端子を備えた着脱モジュールと、
c) 前記本体に設けられた、前記着脱モジュールを装着可能な着脱モジュール装着部と、
d) 前記着脱モジュール装着部に設けられた、前記着脱モジュールを装着したときに、前記メモリ用端子と前記制御回路を接続し、前記２次電池用端子と前記発光素子を接続するための本体側端子
を備えることを特徴とする発光装置。
【請求項２】
前記着脱モジュールを複数個備えることを特徴とする請求項１に記載の発光装置。
【請求項３】
前記メモリに該メモリが真正品であることを示す真正品情報データが記録されており、
前記制御回路が、前記メモリから前記真正品情報データを取得可能なときにのみに発光素子を発光させるものである
ことを特徴とする請求項１又は２に記載の発光装置。
【請求項４】
請求項１〜３のいずれかに記載の発光装置の前記着脱モジュールにおける前記メモリにデータを転送すると共に前記２次電池に充電する装置であって、
a) 前記着脱モジュールを保持する保持部と、
b) 前記保持部に前記着脱モジュールが保持された状態で前記メモリに発光パターンのデータを書き込むデータ書き込み部と、
c) 前記保持部に前記着脱モジュールが保持された状態で前記２次電池を充電する充電部と
を備えることを特徴とするデータ転送・充電装置。
【請求項５】
発光装置が有する着脱モジュール装着部に装着される着脱モジュールであって、該発光装置が有する発光素子の発光パターンのデータが記録されるメモリと該発光素子に電力を供給する２次電池が一体化されていることを特徴とする発光装置用着脱モジュール。
【発明の詳細な説明】
【技術分野】
【０００１】
本発明は、発光ダイオード（LED）等の発光素子を用いた照明装置や表示装置等の発光装置に関する。
【背景技術】
【０００２】
発光装置には、単に発光素子を点灯及び消灯するだけではなく、所定のパターンで点灯及び消灯させるものがある。例えば特許文献１には、円筒状の把持部（取っ手）の一端に細長い形状の板状部材が取り付けられ、該板状部材の長手方向に複数個の発光素子が並べて配置され、それら発光素子が所定のパターンで点滅する表示装置が記載されている。この表示装置では、把持部内に中央演算装置（ＣＰＵ）やメモリ等が収容され、該把持部の側面にはそれらを外部のパーソナルコンピュータ（ＰＣ）や携帯電話等の情報端末と接続するためのインターフェイスコネクタが設けられている。各発光素子の点滅パターンのデータは、インターフェイスコネクタに通信ケーブルを取り付け、それらを介して外部の情報端末から把持部内のメモリに転送される。ＣＰＵは、このデータに従って各発光素子の点滅を制御する。また、把持部内には電池収納部が、把持部の板状部材が固定された端部とは反対側の端部には電池収納蓋が、それぞれ設けられており、電池収納部に収容される１次電池又は外部で充電された２次電池から電力が発光素子やＣＰＵ等に供給される。
【先行技術文献】
【特許文献】
【０００３】
【特許文献１】特許第4865085号公報
【発明の概要】
【発明が解決しようとする課題】
【０００４】
特許文献１の表示装置では、点滅のパターンを変更する際に、該装置のインターフェイスコネクタ及び外部の情報端末のコネクタに通信ケーブルを取り付ける作業や、データを情報端末から該装置のメモリに転送するための情報端末の操作を行う必要があるため、手間を要する。それとは別に、１次電池の交換又は２次電池の充電のためにそれら電池の着脱の作業を行う必要がある点においても手間を要する。
【０００５】
本発明が解決しようとする課題は、点滅のパターンの変更や電池の着脱の際に要する手間を軽減することができる発光装置を提供することである。
【課題を解決するための手段】
【０００６】
上記課題を解決するために成された本発明に係る発光装置は、
a) 発光素子及び該発光素子の発光を制御する制御回路を備える本体と、
b) 前記発光素子の発光パターンのデータが記録されるメモリと該発光素子に電力を供給する２次電池が一体化され、該メモリ用の端子であるメモリ端子及び該２次電池用の端子である２次電池用端子を備えた着脱モジュールと、
c) 前記本体に設けられた、前記着脱モジュールを装着可能な着脱モジュール装着部と、
d) 前記着脱モジュール装着部に設けられた、前記着脱モジュールを装着したときに、前記メモリ用端子と前記制御回路を接続し、前記２次電池用端子と前記発光素子を接続するための本体側端子
を備えることを特徴とする。
【０００７】
本発明に係る発光装置では、着脱モジュールのメモリに発光素子の発光パターンのデータを記録すると共に２次電池に充電を行ったうえで、着脱モジュールを本体の着脱モジュール装着部に装着する。これにより、本体の制御回路は、着脱モジュールのメモリに記録されたデータにより発光素子のON/OFFの切り替え、及び／又はONの時の発光強度の変更といった発光素子の発光の制御を行う。発光素子は、着脱モジュールの２次電池から電力の供給を受けて、制御回路による制御に従って所定の発光パターンで発光する。
【０００８】
本発明に係る発光装置によれば、点滅のパターンの変更と充電された２次電池の装着を同時に行うことができるため、それらの作業の手間を軽減することができる。
【０００９】
本発明に係る発光装置は、前記着脱モジュールを複数個備えることが望ましい。この構成によれば、これら複数個の着脱モジュールのメモリにそれぞれ異なる発光パターンを記録しておき、着脱モジュール装着部に装着する着脱モジュールを交換するだけで、直ちに発光パターンを変更することができる。また、メモリに記録する発光パターンの相違の有無に関わらず、着脱モジュール装着部に装着されていない着脱モジュールの２次電池に予め充電をしておくことにより、発光装置の使用中に充電が必要になったときに、着脱モジュール装着部に装着する着脱モジュールを交換するだけで使用を継続することができる。
【００１０】
本発明に係る発光装置は、前記メモリに（発光パターンのデータの他に）該メモリが真正品であることを示す真正品情報データが記録されており、前記制御回路が、前記メモリから前記真正品情報データを取得可能なときにのみに発光素子を発光させるものであることが望ましい。これにより、真正品（或いはメーカー純正品）の着脱モジュールを装着した場合以外には発光装置を用いることができなくなるため、品質が保証されない非真正品の着脱モジュールが使用されることを防止することができる。
【００１１】
また、本発明に係るデータ転送・充電装置は、前記発光装置の前記着脱モジュールにおける前記メモリにデータを転送すると共に前記２次電池に充電する装置であって、
a) 前記着脱モジュールを保持する保持部と、
b) 前記保持部に前記着脱モジュールが保持された状態で前記メモリに発光パターンのデータを書き込むデータ書き込み部と、
c) 前記保持部に前記着脱モジュールが保持された状態で前記２次電池を充電する充電部と
を備えることを特徴とする。
【００１２】
本発明に係るデータ転送・充電装置によれば、着脱モジュールを保持部に保持するだけで、発光パターンのデータを着脱モジュールのメモリに記録すると共に、２次電池に充電することができるため、それらの作業の手間を軽減することができる。
【００１３】
本発明に係る発光装置用着脱モジュールは、発光装置が有する着脱モジュール装着部に装着される着脱モジュールであって、該発光装置が有する発光素子の発光パターンのデータが記録されるメモリと該発光素子に電力を供給する２次電池が一体化されていることを特徴とする。
【発明の効果】
【００１４】
本発明により、点滅のパターンの変更や電池の着脱の際に要する手間を軽減することができる発光装置が得られる。
【図面の簡単な説明】
【００１５】
【図１】本発明に係る発光装置の一実施形態を示す斜視図。
【図２】本実施形態の発光装置が備える着脱モジュールの外観の斜視図(a)、(b)、正面図(c)及び内部構造を示す断面図(d)。
【図３】本実施形態の発光装置が備える着脱モジュールのメモリの構成を示すブロック図。
【図４】本実施形態の発光装置の付属品であるデータ転送・充電装置を示す斜視図。
【発明を実施するための形態】
【００１６】
図１〜図４を用いて、本発明に係る発光装置の一実施形態を説明する。
【００１７】
図１に、本発明の一実施形態である発光装置１０を示す。この発光装置１０は、本体１１と着脱モジュール２０を備える。
【００１８】
本体１１は、発光部１２と、把持部１３と、接続部１４と、着脱モジュール装着部１５と、着脱モジュール装着蓋１６を有する。発光部１２は、半透明の円筒状のカバー１２１内に複数の発光素子１２２が円筒の軸方向に配列されているものである。発光素子１２２は、前記軸方向に細長い形状を有する基板（図示せず）に取り付けられており、該基板には該発光素子１２２に電力を供給する配線がなされている。把持部１３は、発光部１２のカバー１２１と略同一の径を有する円筒状の部材である。接続部１４は発光部１２と把持部１３を接続するものであり、その表面に、発光部１２全体の発光をON/OFFするスイッチ１４１が設けられている。また、接続部１４内には、発光素子１２２の発光を制御する制御回路１４２が設けられている。
【００１９】
着脱モジュール装着部１５は把持部１３内に設けられており、挿入口１５１と本体側端子１５２を備える。挿入口１５１は着脱モジュール２０を挿入する開口であり、接続部１４とは反対側の把持部１３の端面に設けられている。着脱モジュール装着蓋１６はこの挿入口１５１を閉鎖する蓋である。本体側端子１５２は、着脱モジュール２０が着脱モジュール装着部１５に装着された際に、該着脱モジュール２０に設けられたモジュール側端子２４（後述）と接触する。本体側端子１５２には複数個の電気接点が設けられており、そのうちの3個はデータを入力するデータ入力端子であり、他の2個は発光素子１２２及び制御回路に電力を供給する電力供給端子である。
【００２０】
着脱モジュール２０は図２(a)〜(c)に示すように、ほぼ円筒状であり、一方の端部（図２(a)、(b)では上端）に凹部が設けられ、その中に前記本体側端子１５２に対応するモジュール側端子２４が設けられている。着脱モジュール２０の内部構造は、図２(d)に示すように、外装ケース２５内に、メモリ２１、２次電池２２、及び充電保護回路２３を備えると共に、外装ケース２５の表面に露出するモジュール側端子２４を備える。メモリ２１は書き換え可能なメモリであり、その詳細は後述する。２次電池２２は、本実施形態ではリチウムイオン電池を用いるが、ニッケル水素電池等の他の２次電池を用いてもよい。充電保護回路２３は、リチウムイオン電池の過充電を防止するために設けられている回路である。
【００２１】
モジュール側端子２４は、複数の電気接点（図示せず）を有しており、そのうちの3個がデータ用端子、2個が充放電用端子である。着脱モジュール２０を着脱モジュール装着部１５に装着すると、データ用端子は本体側端子１５２中のデータ入力端子に、充放電用端子は本体側端子１５２中の電力供給端子に、それぞれ接触する。
【００２２】
メモリ２１は、図３に示すように、発光パターン記録領域２１１、真正品情報記録領域２１２、及び充電量記録領域２１３を有している。モジュール側端子２４の前記データ用端子のうち2個が発光パターン記録領域２１１と充電量記録領域２１３に、1個が真正品情報記録領域２１２に接続される。発光パターン記録領域２１１は、後述のように使用者が発光パターンのデータを記録する領域である。真正品情報記録領域２１２は、発光装置１０（着脱モジュール２０を含む）又は着脱モジュール２０単体を製造及び／又は販売する者が、着脱モジュール２０が真正品（或いはメーカー純正品）であることを示す真正品情報を記録する領域である。充電量記録領域２１３は２次電池２２への充電量の積算値のデータを記録する領域である。充電が1回行われる毎に、データ転送・充電装置３０（後述）において充電量の積算値に当該回の充電量が加算されて上書き記録されるようになっている。なお、真正品情報記録領域２１２及び充電量記録領域２１３は省略することが可能である。
【００２３】
本実施形態の発光装置１０の付属品として、データ転送・充電装置３０が用意されている。データ転送・充電装置３０は、図４に示すように、着脱モジュール２０を保持する保持部３１を備える。保持部３１内には、着脱モジュール２０が保持されている状態でモジュール側端子２４と接触するデータ転送・充電装置側端子３２が設けられている。データ転送・充電装置側端子３２は複数の電気接点を有しており、そのうちの3個はモジュール側端子２４のデータ用端子と接触するデータ書き込み端子であり、他の2個は２次電池２２に充電する充電用端子である。データ転送・充電装置３０にはまた、外部の情報端末とデータ書き込み端子を接続するインターフェイスコネクタ３３と、電源と充電端子を接続する電源コネクタ３４が設けられている。さらに、データ転送・充電装置３０内には、２次電池２２に供給する電力を制御しつつ該２次電池２２への充電を行う充電制御回路（図示せず）が設けられている。なお、インターフェイスコネクタ３３の代わりに、外部の情報端末から無線通信によりデータの転送を行う無線通信装置を用いてもよい。
【００２４】
本実施形態の発光装置１０の動作を説明する。
使用者は、以下のようにデータ転送・充電装置３０を用いて、メモリ２１に発光パターンのデータを記録すると共に、２次電池２２に充電する。まず、インターフェイスコネクタ３３に情報端末との通信ケーブルを取り付けると共に、電源コネクタ３４に電源ケーブルを接続する。続いて、使用者は保持部３１に着脱モジュール２０を保持させる。これにより、メモリ２１へのアクセスが可能になり、使用者が情報端末を操作することでメモリ２１の発光パターン記録領域２１１に発光パターンのデータが記録される。それと共に、データ転送・充電装置３０の充電制御回路は、メモリ２１の充電量記録領域２１３に記録されている充電量の積算値を読み出し、該積算値が所定の上限値に達していれば２次電池２２が寿命に達していることを示す警告ランプ（図示せず）を点灯させる。充電量の積算値が上限値未満の場合には、２次電池２２への充電を行う。その際、充電保護回路２３によって過充電に対する保護がなされる。そして、充電量記録領域２１３に記録されている充電量の積算値のデータに、２次電池２２への充電時の電圧及び電流並びに充電時間の積（Wh）を加算して上書き記録する。本実施例では、２次電池２２への充電量の積算値が所定の上限値に達すると２次電池２２が寿命に達したと判断する構成としているが、２次電池２２への充電を行う毎に充電量記録領域２１３に記録されている充電量（残量）から当該回の充電量を減算し、所定の下限値（例えば０）に達すると２次電池２２が寿命に達したと判断するようにしてもよい。なお、メモリ２１において充電量記録領域２１３を省略する場合には、ここで述べた充電量の確認及び記録の操作は行わずに、直ぐに２次電池２２への充電を開始する。
【００２５】
メモリ２１への発光パターンのデータの記録及び２次電池２２への充電が完了した後、使用者は、着脱モジュール２０を保持部３１から取り外し、着脱モジュール装着部１５に装着する。これにより、本体側端子１５２とモジュール側端子２４が接触する。そして、使用者がスイッチ１４１をONにすると、制御回路１４２は２次電池２２から電力の供給を受けて、メモリ２１の真正品情報記録領域２１２から真正品情報の取得を試みる。その結果、真正品情報が取得できなければ、発光装置１０は動作を行わない。真正品情報が取得できれば、制御回路１４２はメモリ２１の発光パターン記録領域２１１から発光パターンのデータを読み出し、発光素子１２２の発光を制御する。発光素子１２２は、制御回路１４２による制御に従って、２次電池２２から供給される電力により発光する。なお、メモリ２１において真正品情報記録領域２１２を省略する場合には、ここで述べた真正品情報の取得等の操作は行わずに、直ぐに発光パターン記録領域２１１から発光パターンのデータを読み出して発光素子１２２の発光の制御を行う。
【００２６】
発光パターンを変更する際や、２次電池２２が放電して発光素子１２２が点灯しなくなったときには、使用者は、着脱モジュール装着部１５から着脱モジュール２０を取り外し、データ転送・充電装置３０の保持部３１に保持させる。この状態で、情報端末を操作してメモリ２１内の発光パターンのデータを新たなものに書き換え、あるいは２次電池２２に充電を行う。
【００２７】
本実施形態の発光装置１０によれば、点滅パターンのデータをメモリ２１に記録すると共に２次電池２２を充電したうえで、着脱モジュール２０を着脱モジュール装着部１５に装着するだけで、複数の発光素子１２２の点滅パターンの変更と充電された２次電池２２の装着を同時に行うことができるため、それらの作業の手間を軽減することができる。
【００２８】
また、本実施形態の発光装置１０では、1個の本体１１に対して複数個の着脱モジュール２０を用いることができる。その場合、異なる着脱モジュール２０同士で異なる発光パターンをメモリ２１に記録しておくことにより、着脱モジュール装着部１５に装着する着脱モジュール２０を取り替えるだけで発光パターンを変更することができる。その際、着脱モジュール２０の外装ケース２５の表面に、ラベル２５２を貼付するラベル貼付スペース２５１（図２(b)）を設けておき、発光パターンの内容をラベル２５２に記載してラベル貼付スペース２５１に貼付しておくことにより、使用者がメモリ２１の記録内容を読み出すことなく着脱モジュール２０同士を区別することができ、所望の発光パターンが記録された着脱モジュール２０を容易に選択することができる。また、1個の本体１１に対して複数個の着脱モジュール２０を用いることで、1個の着脱モジュール２０を使用中に他の着脱モジュール２０の２次電池２２を充電することができる。そのため、使用中の着脱モジュール２０の２次電池２２が放電して使用できなくなれば直ぐに、着脱モジュール２０を交換して発光装置１０を継続使用することができる。
【００２９】
なお、言うまでもなく、本発明は上記実施形態には限定されず、種々の変更が可能である。
上記実施例では、充電量記録領域２１３に記録されている充電量の積算値が所定の上限値に達する（あるいは充電量の残量が所定の下限値に達する）と２次電池２２が寿命に達したと判断する構成としたが、メモリ２１に充電回数記録領域を設けておき、充電が１回行われる毎にデータ転送・充電装置３０において充電回数のデータを１増加させて充電回数を上書き記録するとともに、充電回数が所定の上限値に達すると２次電池２２が寿命に達したと判断するような構成を採ることもできる。
【符号の説明】
【００３０】
１０…発光装置
１１…本体
１２…発光部
１２１…カバー
１２２…発光素子
１３…把持部
１４…接続部
１４１…スイッチ
１４２…制御回路
１５…着脱モジュール装着部
１５１…挿入口
１５２…本体側端子
１６…着脱モジュール装着蓋
２０…着脱モジュール
２１…メモリ
２１１…発光パターン記録領域
２１２…真正品情報記録領域
２１３…充電量記録領域
２２…２次電池
２３…充電保護回路
２４…モジュール側端子
２５…外装ケース
２５１…ラベル貼付スペース
２５２…ラベル
３０…データ転送・充電装置
３１…保持部
３２…データ転送・充電装置側端子
３３…インターフェイスコネクタ
３４…電源コネクタ
【図１】
2018092756.tif 000003
【図２】
2018092756.tif 000004
【図３】
2018092756.tif 000005
【図４】
2018092756.tif 000006